(57)【要約】【課題】  捺印に利用することのできる携帯端末装置を提供する。【解決手段】  筐体の所定の位置に着脱自在な印鑑を備える携帯端末装置であって、筐体に装着された印鑑を振動させるバイブレータ手段と、バイブレータ手段のオン・オフ切替の操作が行われるバイブレータ操作手段と、バイブレータ手段を制御する制御手段と、を有し、制御手段は、バイブレータ操作手段の操作に応じて、バイブレータ手段の振動を制御する。【選択図】  図４
2006197352.tif 000002
【特許請求の範囲】
【請求項１】
筐体の所定の位置に着脱自在な印鑑を備える携帯端末装置であって、
前記筐体に装着された印鑑を振動させるバイブレータ手段と、
前記バイブレータ手段のオン・オフ切替の操作が行われるバイブレータ操作手段と、
前記バイブレータ手段を制御する制御手段と、を有し、
前記制御手段は、前記バイブレータ操作手段の操作に応じて、前記バイブレータ手段の振動を制御することを特徴とする携帯端末装置。
【請求項２】
前記印鑑の装着の有無を検出する印鑑検出手段をさらに有し、
前記制御手段は、前記印鑑検出手段の検出結果に応じて、前記バイブレータ手段の振動を制御することを特徴とする請求項１記載の携帯端末装置。
【請求項３】
前記制御手段は、前記バイブレータ手段の振動による捺印中に着信があった場合、前記バイブレータ手段の振動を停止させ、着信音を出力するように制御することを特徴とする請求項１又は２記載の携帯端末装置。
【請求項４】
前記筐体の所定の位置に、前記印鑑を装着するための差込口をさらに有し、
前記印鑑は、前記差込口に嵌入されることを特徴とする請求項１から３のいずれか１項に記載の携帯端末装置。
【請求項５】
前記印鑑を着脱自在に取り付けることが可能な取付部材をさらに有し、
前記取付部材は、前記筐体の所定の位置に着脱自在に装着されることを特徴とする請求項１から４のいずれか１項に記載の携帯端末装置。
【請求項６】
前記筐体の所定の位置に、前記印鑑を装着するための突起部をさらに有し、
前記印鑑は、前記突起部に嵌合するための凹部が設けられたことを特徴とする請求項１から５のいずれか１項に記載の携帯端末装置。
【請求項７】
前記筐体内の所定の位置に、前記印鑑及び前記取付部材を収納するための収納部を設けたことを特徴とする請求項１から６のいずれか１項に記載の携帯端末装置。
【請求項８】
前記筐体の内部に設けられた、前記印鑑を収納する収納部と、
前記印鑑の所定の部分を前記収納部から前記筐体の外部へ突出するための開口部と、
前記開口部に設けられた、開閉自在な蓋部材と、
前記印鑑の所定部分を前記収納部から前記筐体の外部へ突出させるとともに、前記突出させた印鑑の所定部分を前記収納部へ引き戻す印鑑駆動手段と、
をさらに有することを特徴とする請求項１から３のいずれか１項に記載の携帯端末装置。
【請求項９】
前記制御手段は、前記印鑑が前記筐体外へ突出している状態か否かに応じて、前記バイブレータ手段の振動を制御することを特徴とする請求項８記載の携帯端末装置。
【請求項１０】
前記印鑑駆動手段による前記印鑑の駆動は、モータによる電動駆動、又は、伸縮部材による伸縮駆動のうちいずれか一方であることを特徴とする請求項８又は９記載の携帯端末装置。
【請求項１１】
前記伸縮部材は前記印鑑の一端と接続され、圧縮された状態で前記収納部に収容され、かつ、前記印鑑はロック機構によって前記収納部に保持され、
前記伸縮部材による伸縮駆動の場合、前記蓋部材の一端が押されると、前記ロック機構が解除され、前記伸縮部材が伸張して前記印鑑の所定部分をポップアップして前記筐体の外部へ突出させることを特徴とする請求項１０記載の携帯端末装置。
【請求項１２】
前記印鑑の所定位置には掛止穴が形成され、かつ、前記収納部内には前記掛止穴に嵌入する突起が形成され、
前記突起を前記掛止穴に嵌入させることによって、前記突出した印鑑の所定の部分を前記筐体内部に固定することを特徴とする請求項１１記載の携帯端末装置。
【発明の詳細な説明】
【技術分野】
【０００１】
本発明は、携帯電話等の携帯端末装置に関し、詳しくは、筐体に印鑑を備えた携帯端末装置に関する。
【背景技術】
【０００２】
携帯電話機やＰＨＳ（Personal Handy-phone System）等の携帯端末装置は、固定電話のように複数の人が共同で使用する通信端末とは異なり、個人の所有物として使用されている。このため、本来の通信機能だけでなく、スケジュール管理機能等の各種の機能が盛り込まれ、多機能化する傾向にある。
【０００３】
図９は、従来の携帯端末装置の一例として、一体型の携帯電話機の正面外観を示した図である。図９に示すように、携帯電話機１０１は、細長い略直方体状の筐体１０２を備えており、固定電話機のハンドセットと同様に、筐体１０２の上端部近傍にスピーカ１０３が、また下端部近傍にマイクロフォン１０４が配置されている。そして、スピーカ１０３とマイクロフォン１０４の部品の間には、液晶ディスプレイからなる表示部１０５と、各種キー（図示せず）を配置した操作部１０６とが配置されている。また、筐体１０２の上端側には伸縮自在のアンテナ１０７が取り付けられている。
【０００４】
このような携帯電話機１０１は、着信時にスピーカ１０３が着信音を鳴動させるか、筐体１０２に内蔵された図示しないバイブレータを動作させて振動によって着信を知らせるようになっている（例えば、特許文献１参照）。
【０００５】
ところで、電子化が進んだとはいえ荷物の受け取り及び事務処理上の承認の際は認印として印鑑での捺印が必要である。しかしながら、多くの者は、家庭から離れた勤務先や出張先まで、印鑑を持っていくことはない。さらに印鑑を常に携行していることは稀である。携行しやすいように専用の入れものに納めるための商品が販売されているが、常に携行する生活習慣にはなっていない。印鑑付き筆記具も販売されているが、印の径が小さかったり、又は筆記具の一部を太く大きくした形状であったりするため、多くの人に普及されているとは言い難い。また、印鑑を仕事場などに常備しているかもしれないが、それは別途用意したものであり、印鑑は個人的な所有物であり、決まった場所ごとに常備していて、所持が控えられる傾向にある。また、家庭に常備している印鑑は家族共通のものを使用するのが一般的であり、万が一の際、捺印した家族の個々の特定が難しい。
【０００６】
従来技術として、携帯電話に印鑑等を備えた「携帯電話機能と取り付け方法」がある（例えば、特許文献２）。また、携帯電話に対して着脱自在に設けられた「携帯電話着脱スタンプ」がある（例えば、特許文献３）。
【特許文献１】特開平８−３４０５８２号公報（段落００３７、図５）
【特許文献２】特開２００２−２０９００６号公報
【特許文献３】特開２００２−３３７４３７号公報
【発明の開示】
【発明が解決しようとする課題】
【０００７】
しかしながら、上記特許文献２及び３記載の発明は、印鑑やスタンプを備えるのみに留まり、印鑑やスタンプを使用する場合に、ユーザは携帯電話の筐体を持って手動で捺印しなければならず、捺印動作に関しては利便性が考慮されていない。
【０００８】
本発明は、上記事情に鑑みてなされたものであり、捺印に関する利便性を考慮した携帯端末装置を提供することを目的とする。
【課題を解決するための手段】
【０００９】
かかる目的を達成するために、請求項１記載の発明は、筐体の所定の位置に着脱自在な印鑑を備える携帯端末装置であって、筐体に装着された印鑑を振動させるバイブレータ手段と、バイブレータ手段のオン・オフ切替の操作が行われるバイブレータ操作手段と、バイブレータ手段を制御する制御手段と、を有し、制御手段は、バイブレータ操作手段の操作に応じて、バイブレータ手段の振動を制御することを特徴とする。
【００１０】
請求項２記載の発明は、請求項１記載の発明において、印鑑の装着の有無を検出する印鑑検出手段をさらに有し、制御手段は、印鑑検出手段の検出結果に応じて、バイブレータ手段の振動を制御することを特徴とする。
【００１１】
請求項３記載の発明は、請求項１又は２記載の発明において、制御手段は、バイブレータ手段の振動による捺印中に着信があった場合、バイブレータ手段の振動を停止させ、着信音を出力するように制御することを特徴とする。
【００１２】
請求項４記載の発明は、請求項１から３のいずれか１項に記載の発明において、筐体の所定の位置に、印鑑を装着するための差込口をさらに有し、印鑑は、差込口に嵌入されることを特徴とする。
【００１３】
請求項５記載の発明は、請求項１から４のいずれか１項に記載の発明において、印鑑を着脱自在に取り付けることが可能な取付部材をさらに有し、取付部材は、筐体の所定の位置に着脱自在に装着されることを特徴とする。
【００１４】
請求項６記載の発明は、請求項１から５のいずれか１項に記載の発明において、筐体の所定の位置に、印鑑を装着するための突起部をさらに有し、印鑑は、突起部に嵌合するための凹部が設けられたことを特徴とする。
【００１５】
請求項７記載の発明は、請求項１から６のいずれか１項に記載の発明において、筐体内部の所定の位置に、印鑑及び取付部材を収納するための収納部を設けたことを特徴とする。
【００１６】
請求項８記載の発明は、請求項１から３のいずれか１項に記載の発明において、筐体の内部に設けられた、印鑑を収納する収納部と、印鑑の所定の部分を収納部から筐体の外部へ突出するための開口部と、開口部に設けられた、開閉自在な蓋部材と、印鑑の所定部分を収納部から筐体の外部へ突出させるとともに、突出させた印鑑の所定部分を収納部へ引き戻す印鑑駆動手段と、をさらに有することを特徴とする。
【００１７】
請求項９記載の発明は、請求項８記載の発明において、制御手段は、印鑑が筐体外へ突出している状態か否かに応じて、バイブレータ手段の振動を制御することを特徴とする。
【００１８】
請求項１０記載の発明は、請求項８又は９記載の発明において、印鑑駆動手段による印鑑の駆動は、モータによる電動駆動、又は、伸縮部材による伸縮駆動のうちいずれか一方であることを特徴とする。
【００１９】
請求項１１記載の発明は、請求項１０記載の発明において、伸縮部材は印鑑の一端と接続され、圧縮された状態で収納部に収容され、かつ、印鑑はロック機構によって収納部に保持され、伸縮部材による伸縮駆動の場合、蓋部材の一端が押されると、ロック機構が解除され、伸縮部材が伸張して印鑑の所定部分をポップアップして筐体の外部へ突出させることを特徴とする。
【００２０】
請求項１２記載の発明は、請求項１１記載の発明において、印鑑の所定位置には掛止穴が形成され、かつ、収納部内には掛止穴に嵌入する突起が形成され、突起を掛止穴に嵌入させることによって、突出した印鑑の所定の部分を筐体内部に固定することを特徴とする。
【発明の効果】
【００２１】
本発明によれば、バイブレータ機能を利用することによって、手押しよりも鮮明な捺印ができ、捺印の利便性を向上することができる。
【発明を実施するための最良の形態】
【００２２】
以下、本発明を実施するための最良の形態について添付図面を参照して詳細に説明する。
【実施例１】
【００２３】
図１は、本発明の実施例１である携帯電話機の正面外観を示す図である。携帯電話機２０１は、ユーザが片手で握ることのできる形状、すなわち細長の略直方体状の筐体２０２を備えており、図１に示すように、表側（正面側）には、固定電話機のハンドセットと同様に、筐体２０２の上端部（図の右側）近傍にスピーカ２０３が、また、下端部（図の左側）近傍にマイクロフォン２０４が配置されている。そして、スピーカ２０３とマイクロフォン２０４の間には、液晶ディスプレイ等からなる表示部２０５と、数字キー等の各種キー（図示せず）を配置した操作部２０６が配置されている。また、筐体２０２の上端部には、伸縮自在のアンテナ２０７が取り付けられている。また、筐体２０２の下端部には、印鑑を差し込むための差込口２０８が設けられている。なお、スピーカ２０３、マイクロフォン２０４、表示部２０５、操作部２０６及びアンテナ２０７は、それぞれ生活防水機能を備えている。
【００２４】
図２は、携帯電話機２０１の裏側の外観を示す図である。図２に示すように、携帯電話機２０１の筐体２０２の裏面側には、着脱自在な蓋２１１が取り付けられており、蓋２１１の内部空間は、印鑑２１２と、朱肉２１３とが収納される収納部となっている。なお、印鑑がインクを収蔵できるタイプであれば、朱肉２１３の代わりに補充用インクを収納してもよい。
【００２５】
図３は、携帯電話機２０１に印鑑２１２を取り付ける状態を示す図である。捺印を行う場合、ユーザは蓋２１１を開けて収納部から印鑑２１２取り出し、朱肉２１３をつける。そして、図３に示すように、筐体２０２の下部の底面に設けられた差込口２０８に対し、印鑑２１２を構成する棒状の首部２１２Ａを嵌入する。
【００２６】
印鑑２１２が差込口２０８に嵌入した状態で、ユーザが操作部２０６の数字キー、例えば"１"キー（図示せず）を押すと、バイブレータの振動が発生し、印鑑２１２に振動が伝わる。この振動を利用することにより、手動（手押し）で捺印するよりも鮮明に捺印することができる。そして、例えば"０"キーを押すか、又は、印鑑２１２を差込口２０８から引き抜くと、バイブレータの振動が停止する。
【００２７】
図４は、携帯電話機２０１の内部構成の要部を示すブロック図である。携帯電話機２０１は、各種制御のためのＣＰＵ（中央処理装置）２３１を備えている。ＣＰＵ２３１は、データバス等のバス２３２を介して筐体内の各部と接続されている。
【００２８】
制御プログラム格納部２３３は、携帯電話機２０１の制御用のプログラムを格納した部分であり、例えばＲＯＭ（リード・オンリ・メモリ）によって構成されている。作業用メモリ２３４は、ＣＰＵ２３１が制御プログラムを実行するときに一時的に必要とする各種データを格納するメモリであり、例えばＲＡＭ（ランダム・アクセス・メモリ）によって構成されている。
【００２９】
通信制御部２３５は通話等の通信制御や着呼の検出を行う。スピーカ２０３およびマイクロフォン２０４は、それぞれ増幅回路等の出力回路（図示せず）あるいは入力回路（図示せず）を介してバスに接続されている。また、表示部２０５は、図示しない表示制御回路を介してバス２３２に接続され、操作部２０６も、図示しない入力回路を介してバス２３２に接続されている。
【００３０】
磁気センサ２３７は、図３に示した印鑑２１２が筐体２０２にセットされた際に、印鑑２１２のセットを検出するセンサであり、差込口２０８の所定の位置に設けられる。本実施例では差込口２０８が筐体２０２の内部に開口していない構造となっており、このために磁力を検出する磁気センサ２３７を使用している。なお、本実施例では磁気センサとしたが、印鑑２１２が筐体２０２にセットされたことを、圧力、光、赤外線等の他のセンサを使用して検出するようにしてもよい。また、センサによる印鑑の検出を行わずに、ユーザによる操作部２０６の操作によって、捺印のためのバイブレータ振動を発生させるようにしてもよい。
【００３１】
モータ駆動回路２３８は、偏心重り付モータ２３９を回転させるための回路である。偏心重り付モータ２３９は、図示しない回転軸に偏心重りが付いた構造となっており、回転軸の回転によって偏心運動を生じさせ、バイブレータとして振動を発生させる。
【００３２】
そして、モータ駆動回路２３８は、ユーザが着信を検出するためにバイブレータ機能を設定している場合に、偏心重り付モータ２３９を駆動する。ただし、ユーザが携帯電話機２０１を使用して、バイブレータ機能により捺印をしている最中に着信があった場合は、偏心重り付モータ２３９が回転しているとユーザが着信に気づかないおそれがある。そこで、本実施例の携帯電話機２０１は、バイブレータ機能を使用しての捺印中に着信があった場合に、バイブレータ機能を停止させ、代わりにスピーカ２０３から着信音を出力するように制御する。この制御については、図５を参照して以下に説明する。なお、スピーカ２０３から着信音を出力するようにしたのは、電車やバスといった公共の場所で捺印することはほとんどないからである。
【００３３】
図５は、着信時の通知制御処理を示すフローチャートである。以下、本実施例の制御動作について、図４及び図５を参照して説明する。
まず、図４に示す通信制御部２３５が着信の有無を検出する（ステップＳ３０１）。通信制御部２３５が着信を検出して着信呼出モードになると（ステップＳ３０１／ＹＥＳ）、ＣＰＵ２３１は作業用メモリ２３４をチェックして、携帯電話機２０１がバイブレータを使用するマナーモードになっているかどうかをチェックする（ステップＳ３０２）。マナーモードになっている場合には（Ｓ３０２／ＹＥＳ）、磁気センサ２３７が印鑑２１２のセットを検出する（ステップＳ３０３）。磁気センサ２３７が印鑑２１２のセットを検出しなければ（ステップＳ３０３／ＮＯ）、ＣＰＵ２３１は捺印を行う状態ではないものと判断し、着信を通知するために、モータ駆動回路２３８を制御して偏心重り付モータ２３９を回転させてバイブレータをオンにする（ステップＳ３０４）。マナーモードが設定されていて（ステップＳ３０２／ＹＥＳ）、印鑑２１２のセットを検出している場合には（ステップＳ３０３／ＹＥＳ）、着信を通知するために着信音を出力する（ステップＳ３０６）。
【００３４】
ステップＳ３０２において、マナーモードが設定されていない場合には（ステップＳ３０２／ＮＯ）、ＣＰＵ２３１は磁気センサ２３７が印鑑２１２のセットを検出しているかどうかを判別する（ステップＳ３０５）。印鑑２１２のセットを検出していなければ（ステップＳ３０５／ＮＯ）、着信音を出力する（ステップＳ３０６）。印鑑２１２のセットを検出している場合（ステップＳ３０５／ＹＥＳ）、ＣＰＵ２３１は、バイブレータがオンになっている場合にはオフにして（ステップＳ３０７）、ステップＳ３０６に進んで着信音を出力させる。これはバイブレータの振動を停止させることで着信音に気づきやすくさせるためである。よって、本実施例では、着信時にバイブレータがオンになる設定がされている場合、印鑑セット時のみ一時的に着信音出力に切り替える制御が行われる。
【００３５】
一方、着信時以外の状態において（ステップＳ３０１／ＮＯ）、ユーザが捺印をするために印鑑２１２をセットして操作部２０６の"１"キーを押すと（ステップＳ３０８／ＹＥＳ）、ＣＰＵ２３１は、モータ駆動回路２３８を制御してバイブレータをオンにし（ステップＳ３０４）、バイブレータの振動により捺印が行える状態となる。この場合、"１"キーを押下した後、ユーザが押下したキーを離しても、ＣＰＵ２３１がキーの押下を一時的に記憶することによって、バイブレータのオン状態を持続する。ただし、図示しない回路によって一定時間後にバイブレータをオフするようにして節電を図ってもよい。バイブレータがオンとなっている状態でユーザが操作部２０６の"０"キーを押したとき、あるいはユーザが印鑑２１２を差込口２０８から取り外したとき（磁気センサ２３７が検知）には（ステップＳ３０９／ＹＥＳ）、ＣＰＵ２３１はモータ駆動回路２３８を制御してバイブレータをオフにする（ステップＳ３１０）。
【実施例２】
【００３６】
図６は、本実施例の携帯電話機の正面外観を示したものである。なお、図６において、図１と同一部分には同一の符号を付しており、これら同一符号の部分については上記実施例１と同様のものとし、説明を適宜省略する。また、本実施例の携帯電話機の内部構成（図４）及び制御動作（図５）についても上記実施例１と同様であるので説明を適宜省略する。
【００３７】
本実施例の携帯電話機２０１Ｂは、筐体２０２Ｂにおいて、アンテナ２０７が突出している側と反対側の端部２０２Ｂ１に対し、印鑑２１２Ａを備えた部材である嵌合部２１２Ｂ１を嵌合する構成となっている。この嵌合部２１２Ｂ１は、端部２０２Ｂ１に対し着脱自在である。また、印鑑２１２Ａは、嵌合部２１２Ｂ１に対し着脱自在である。ユーザは、印鑑２１２Ａを使用しない場合は、印鑑２１２Ａを嵌合部２１２Ｂ１から取り外して、実施例１と同様に、筐体２０２Ｂの裏側に設けられた収納部（図２参照）に、印鑑２１２Ａ及び嵌合部２１２Ｂ１を収納できる。
【００３８】
なお、本実施例の携帯電話機２０１Ｂは、印鑑２１２Ａを筐体２０２Ｂにセットした状態において、マイクロフォン１０４が嵌合部２１２Ｂ１に覆われるが、通話を行う際には嵌合部２１２Ｂ１を筐体２０２Ｂから取り外すことができるので、通話に支障が生じることはない。
【００３９】
また、本実施例の携帯電話機２０１Ｂでは、２０２Ｂ１の所定の位置に磁気センサを配置しておき、嵌合部２１２Ｂ１の内部（２０２Ｂ１と対向する面等）に磁性体を取り付けておくことで、実施例１と同様に印鑑２１２Ａ及び嵌合部２１２Ｂ１が筐体２０２Ｂにセットされたことを検出することができる。
【実施例３】
【００４０】
図７は、本実施例の携帯電話機の正面外観を示したものである。なお、図７において、図１と同一部分には同一の符号を付しており、これら同一符号の部分については上記実施例１と同様のものとし、説明を適宜省略する。また、本実施例の携帯電話機の内部構成（図４）及び制御動作（図５）についても上記実施例１と同様であるので説明を適宜省略する。
【００４１】
本実施例の携帯電話機２０１Ｃは、筐体２０２Ｃの上部に棒状のアンテナ２０７Ｃを植設するように固定している。また、図７に示すように、本実施例の印鑑２４１は略直方体状となっており、印鑑部分（名前等の刻印がある面）と反対側の面に凹部が設けられている。捺印を行う際には、上記実施例１及び２と同様に、筐体２０２Ｃの裏側に設けられた収納部（図２参照）から印鑑２４１を取り出して、印鑑２４１の首部２４１Ａに設けられた凹部をアンテナ２０７Ｃと嵌合させる。なお、本実施例では、印鑑を装着する部分をアンテナとしたが、アンテナの代わりとなる突起部を筐体の所定の場所に設けてもよい。
【００４２】
そして、ユーザは、印鑑２４１を使用しない場合は、印鑑２４１をアンテナ２０７Ｃから取り外して、実施例１及び２と同様に、筐体２０２Ｃの裏側に設けられた収納部（図２参照）に、印鑑２４１を収納できる。
【００４３】
なお、本実施例の携帯電話機２０１Ｃでは、アンテナ２０７Ｃにおいて、印鑑２４１と嵌合する側に磁気センサを配置し、かつ、印鑑の首部２４１Ａ（例えば、凹部内）に磁性体を取り付けておくことで、実施例１と同様に印鑑２４１が筐体２０２Ｃにセットされたことを検出することができる。
【実施例４】
【００４４】
図８は、本実施例の携帯電話機の正面外観を示したものである。なお、図８において、図１と同一部分には同一の符号を付しており、これら同一符号の部分については上記実施例１と同様のものとし、説明を適宜省略する。また、本実施例の携帯電話機の内部構成（図４）及び制御動作（図５）についても上記実施例１と同様であるので説明を適宜省略する。
【００４５】
本実施例の携帯電話機２０１Ｄは、図８に示すように、筐体２０２Ｄにおけるアンテナ２０７が突出している側と反対側の端部２０２Ｄ１に、矢印２５１方向に開閉自在な蓋２５２が取り付けられている。また、筐体２０２Ｄの内部には、印鑑２１２Ｄがバネ２５３を圧縮した状態で収容されており、図示しないロック機構によって保持されている。ユーザが蓋２５２の一端を矢印２５４で示す方向に強く押すと、上記ロック機構が解除され、バネ２５３が伸張して印鑑２１２Ｄの所定部分（例えば、名前等の刻印がある面から１ｃｍ）がポップアップして筐体２０２Ｄ外に突出する構成となっている。なお、本実施例では、印鑑駆動手段として、印鑑をポップアップさせるバネを使用したが、伸縮自在な弾性体（伸縮部材）であれば、これに限られない。
【００４６】
なお、本実施例では、バネを使用して印鑑を携帯電話機の筐体からポップアップする構成にしたが、モータを印鑑駆動手段とし、このモータの駆動力を使用することにより、印鑑を筐体に対して引き出し自在としてもよい。
【００４７】
また、本実施例では、図８に示すように、ポップアップする印鑑２１２Ｄの首部２１２Ｄ１の所定位置に小さな掛止穴２１２Ｄ２が形成されており、蓋２５２の矢印２５４で示した箇所の反対側にはこの掛止穴２１２Ｄ２に嵌入する突起（図示せず）が形成されている。ユーザは、ほぼ直角に開いた蓋２５２のこの突起を掛止穴２１２Ｄ２に嵌入させることで印鑑２１２Ｄを筐体内部に固定することができ、捺印を実行することができる。また、上記実施例１〜３と同様に、本実施例でも印鑑２１２ＤのポップアップをＣＰＵ２３１が検出することにより、携帯電話機２０１Ｄを捺印モード（バイブレータ機能をオンにするモード）に設定することができる。
【００４８】
以上、本発明の実施例１〜４について説明したが、上記各実施例において、筐体２０２Ｃ内には必ずしも印鑑２４１を収容する空間を設ける必要はない。例えば携帯ストラップに取り付けるフットボール型のアイテム等を開閉自在とし、この内部に印鑑を収容してもよいし、携帯ストラップに印鑑自体を付けて携行してもよい。
【００４９】
また、上記各実施例において、表示部と操作部が１つの筐体に収容された一体型の携帯電話機を例として説明したが、これらが別々の筐体に収容された折り畳み型の携帯電話機についても上記各実施例を同様に適用することができる。また、携帯電話機以外の携帯端末装置でも、本体部分を手で握れるサイズのものについては、上記各実施例を同様に適用することができる。
【００５０】
また、上記各実施例において、携帯電話機の本体側が印鑑をセットした状態を検知してバイブレータ機能により捺印を行う捺印モードに切り替える制御について説明したが、印鑑のセットの検出を行わずに、ユーザが所定のキーあるいはボタンを操作することで、バイブレータが作動して振動が発生するようにしてもよい。もちろん、バイブレータの振動を使用せずに、携帯端末装置に印鑑を取り付けて、そのまま手動（手押し）で捺印をすることも可能である。
【００５１】
また、上記各実施例において、操作部の所定のキーを操作することでバイブレータのオン・オフ制御を行うことにしたが、バイブレータのオン・オフ切替専用のキーあるいはボタンを筐体に配置するようにしてもよい。
【００５２】
また、上記各実施例において、印鑑としたが、スタンプ等であってもよい。
【００５３】
よって、従来、印鑑やスタンプを使用する場合に、ユーザは携帯電話の筐体を持って手動で捺印しなければならず、捺印動作に関しては利便性が考慮されていないという問題があったが、本発明の各実施例に係る携帯電話機によれば、バイブレータ機能を使用することによって、手押しよりも鮮明な捺印ができる。
【００５４】
また、従来、携帯電話の筐体表面上に印鑑が固定されて設けられた構成となっているため、携帯電話としての外観が損なわれるものであったり（上記特許文献２参照）、又は、着脱自在のスタンプを携行する際、携帯電話に装着した状態で持ち歩くか、又は、携帯電話から外して持ち歩くことになるため、携帯電話に装着して携行する場合は携帯電話としての外観が損なわれ、携帯電話から外して持ち歩く場合はスタンプを携行するのを忘れたり、スタンプをなくしたりするおそれがあったりする（上記特許文献３参照）という問題があったが、本発明の各実施例に係る携帯電話機によれば、筐体に印鑑等を収納するための収納部を設けることによって、装置としての外観を損なうことなく、かつ、印鑑等の携行が便利になる。
【００５５】
以上、本発明の各実施例についてそれぞれ説明したが、上記各実施例に限定されるものではなく、その要旨を逸脱しない範囲において種々の変形が可能である。また、上記各実施例のうち任意の実施例を組み合わせて実施することも可能である。
【産業上の利用可能性】
【００５６】
本発明は、携帯用の機器全般に適用できる。
【図面の簡単な説明】
【００５７】
【図１】本発明の実施例１に係る携帯電話機の正面の外観を示す斜視図である。
【図２】本発明の実施例１に係る携帯電話機の裏側の外観を示す斜視図である。
【図３】本発明の実施例１に係る携帯電話機に、印鑑を取り付ける状態を示す斜視図である。
【図４】本発明の実施例１に係る携帯電話機の回路構成の要部を示すブロック図である。
【図５】本発明の実施例１に係る携帯電話機の着信時の通知制御を示すフローチャートである。
【図６】本発明の実施例２に係る携帯電話機の正面の外観を示す斜視図である。
【図７】本発明の実施例３に係る携帯電話機の正面の外観を示す斜視図である。
【図８】本発明の実施例４に係る携帯電話機の裏側の外観を示す斜視図である。
【図９】従来の携帯端末装置の正面の外観を示す平面図である。
【符号の説明】
【００５８】
１０１、２０１、２０１Ｂ、２０１Ｃ、２０１Ｄ    携帯電話機（携帯端末装置）
１０２、２０２、２０２Ｂ、２０２Ｂ１、２０２Ｃ、２０２Ｄ、２０２Ｄ１    筐体
１０３、２０３    スピーカ
１０４、２０４    マイクロフォン
１０５、２０５    表示部
１０６、２０６    操作部（バイブレータ操作手段）
１０７、２０７、２０７Ｃ    アンテナ（突起部）
２０８    差込口
２１１、２５２    蓋（蓋部材）
２１２、２１２Ｂ、２１２Ｄ、２４１    印鑑
２１２Ａ、２１２Ｄ１、２４１Ａ    印鑑首部
２１２Ｂ１    嵌合部（取付部材）
２１２Ｄ２    掛止穴
２１３    朱肉
２３１    ＣＰＵ（制御手段）
２３２    バス
２３３    制御プログラム格納部
２３４    作業用メモリ
２３５    通信制御部
２３７    磁気センサ（印鑑検出手段）
２３８    モータ駆動回路（バイブレータ手段）
２３９    偏心重り付モータ（バイブレータ手段）
２５１    蓋の開く方向
２５４    蓋が押される方向
２５３    バネ（伸縮部材、印鑑駆動手段）
【図１】
2006197352.tif 000003
【図２】
2006197352.tif 000004
【図３】
2006197352.tif 000005
【図４】
2006197352.tif 000006
【図５】
2006197352.tif 000007
【図６】
2006197352.tif 000008
【図７】
2006197352.tif 000009
【図８】
2006197352.tif 000010
【図９】
2006197352.tif 000011